【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
情報記録媒体に対するコンテンツ記録処理を実行する情報処理装置であり、
記録コンテンツのエンコード処理を実行するエンコーダと、
前記エンコーダにおけるエンコードデータを規定の記録フォーマットに変換する処理を実行するデータ処理部と、
前記データ処理部において生成されたフォーマットデータを情報記録媒体に対して記録する記録処理部を有し、
前記データ処理部は、
前記記録コンテンツをフォーマットデータとして前記情報記録媒体に対して記録する際、後続記録コンテンツの記録処理に適用する所定のシームレス情報を取得し、該シームレス情報を、前記記録フォーマットにおいて規定される記録ファイル中に記録させる制御を実行する構成であることを特徴とする情報処理装置。
【請求項２】
前記シームレス情報は、
前記先行記録コンテンツの記録終了時点における前記エンコーダの内部バッファのデータ蓄積量情報を含むことを特徴とする請求項１に記載の情報処理装置。
【請求項３】
前記シームレス情報は、
前記先行記録コンテンツの記録終了時点において、前記データ処理部におけるフォーマット生成時に設定されるタイムスタンプ情報を含むことを特徴とする請求項１に記載の情報処理装置。
【請求項４】
前記シームレス情報は、
ＭＰＥＧフォーマットにおいて規定されるプレゼンテーション・タイムスタンプＰＴＳ（Ｐｒｅｓｅｎｔａｔｉｏｎ  Ｔｉｍｅ  Ｓｔａｍｐ）と、デコーディング・タイムスタンプ（ＤＴＳ：Ｄｅｃｏｄｉｎｇ  Ｔｉｍｅ  Ｓｔａｍｐ）と、基準時間情報としてのシステム・クロック・リフェランス（ＳＣＲ：Ｓｙｓｔｅｍ  Ｃｌｏｃｋ  Ｒｅｆｅｒｅｎｃｅ）を含むことを特徴とする請求項３に記載の情報処理装置。
【請求項５】
前記記録コンテンツはＡＶストリームデータであり、
前記データ処理部は、所定単位のＡＶストリームデータであるＡＶストリームファイルと、該ＡＶストリームファイルの再生時刻情報とアドレス情報とを関連付けた属性ファイルと、再生開始点と再生終了点で前記ＡＶストリームデータの再生区間を指定する１以上の再生区間データで構成される再生リストファイルとを含む記録フォーマットに変換して前記ＡＶストリームデータを前記情報記録媒体へ記録させるとともに、前記シームレス情報を前記属性ファイルに格納して記録させる制御を行う構成であることを特徴とする請求項１に記載の情報処理装置。
【請求項６】
前記記録コンテンツはＡＶストリームデータであり、
前記データ処理部は、所定単位のＡＶストリームデータであるＡＶストリームファイルと、該ＡＶストリームファイルの再生時刻情報とアドレス情報とを関連付けた属性ファイルと、再生開始点と再生終了点で前記ＡＶストリームデータの再生区間を指定する１以上の再生区間データで構成される再生リストファイルとを含む記録フォーマットに変換して前記ＡＶストリームデータを前記情報記録媒体へ記録させるとともに、前記シームレス情報を前記再生リストファイルに格納して記録させる制御を行う構成であることを特徴とする請求項１に記載の情報処理装置。
【請求項７】
前記データ処理部は、
前記情報記録媒体に対するコンテンツ記録ファイルに対応するディレクトリ中の再生制御を行うためのコマンドの集合体からなるファイルに前記シームレス情報を記録させる制御を行う構成であることを特徴とする請求項１に記載の情報処理装置。
【請求項８】
前記データ処理部は、
前記情報記録媒体に対するコンテンツ記録ファイルに対応するディレクトリに設定されるファイルに含まれるメーカー対応のデータ書き込み領域に前記シームレス情報を記録させる制御を行う構成であることを特徴とする請求項１に記載の情報処理装置。
【請求項９】
前記データ処理部は、
前記後続記録コンテンツの記録処理に際して、前記シームレス情報の有効性検証処理を実行し、有効性の確認されたことを条件として、前記シームレス情報を適用した記録制御を行なう構成であることを特徴とする請求項１に記載の情報処理装置。
【請求項１０】
前記データ処理部は、
前記シームレス情報の有効性検証処理として、
前記情報記録媒体に対するコンテンツ記録ファイルに対応するディレクトリ中のファイルから、前記シームレス情報の記録処理を実行した情報処理装置対応の識別情報を取得し、自装置の識別情報と一致するか否かの判定処理を実行し、一致する場合に前記シームレス情報の有効性ありと判定する構成であることを特徴とする請求項９に記載の情報処理装置。
【請求項１１】
前記データ処理部は、
前記シームレス情報の有効性検証処理として、
前記シームレス情報の格納ファイルに設定されたエラー検証コードに基づくエラー検証処理を実行し、該ファイルにエラーまたは改ざんの無いことが確認された場合に前記シームレス情報の有効性ありと判定する構成であることを特徴とする請求項９に記載の情報処理装置。
【請求項１２】
情報処理装置において、情報記録媒体に対するコンテンツ記録処理を実行する情報処理方法であり、
エンコーダにおいて、記録コンテンツのエンコード処理を実行するエンコード処理ステップと、
データ処理部において、前記エンコード処理ステップにおいて生成したエンコードデータを規定の記録フォーマットに変換する処理を実行するデータ処理ステップと、
記録処理部において、前記データ処理ステップにおいて生成されたフォーマットデータを情報記録媒体に対して記録する記録処理ステップと、
前記データ処理部において、前記記録コンテンツをフォーマットデータとして前記情報記録媒体に対して記録する際、後続記録コンテンツの記録処理に適用する所定のシームレス情報を取得し、該シームレス情報を前記記録フォーマットにおいて規定される記録ファイル中に記録させる制御を実行するシームレス情報記録制御ステップと、
を有することを特徴とする情報処理方法。
【請求項１３】
情報処理装置において、情報記録媒体に対するコンテンツ記録処理を実行させるコンピュータ・プログラムであり、
エンコーダにおいて、記録コンテンツのエンコード処理を実行させるエンコード処理ステップと、
データ処理部において、前記エンコード処理ステップにおいて生成したエンコードデータを規定の記録フォーマットに変換する処理を実行させるデータ処理ステップと、
記録処理部において、前記データ処理ステップにおいて生成されたフォーマットデータを情報記録媒体に対して記録させる記録処理ステップと、
前記データ処理部において、前記記録コンテンツをフォーマットデータとして前記情報記録媒体に対して記録する際、後続記録コンテンツの記録処理に適用する所定のシームレス情報を取得し、該シームレス情報を前記記録フォーマットにおいて規定される記録ファイル中に記録させる制御を実行させるシームレス情報記録制御ステップと、
を実行させることを特徴とするコンピュータ・プログラム。
【手続補正２】
【補正対象書類名】明細書
【補正対象項目名】００１６
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】